(57)【要約】  【課題】  本発明は、着用時における骨盤矯正ベルトのずり上りを確実に防止せしめ、骨盤を常に正しい位置に安定保持せしめて矯正することが出来る、骨盤矯正ベルトを提供する。  【解決手段】  弾性を有する布地製でかつ主として腸骨稜および仙腸関節を覆う上段ベルト片２と、同弾性を有する布地製でかつ主として股関節を覆う下段ベルト片３とを備え、該上下段ベルト片２・３の両端部は各々重合状態に結合されると共に、同中間部分は複数の弾性を有する布地製連結片６により互いに連結され、かつ、上下段ベルト片２・３の両端結合部どうしは係着部材４・５を介して着脱自在に連結すべく構成されてなる骨盤矯正ベルト１であって、上記骨盤矯正ベルト１は伸縮性を有するガ−ドル１３の腰部１４内周面に少くとも上段ベルト片２を介して止着されている。  【選択図】      図１
2006198311.tif 000002
【特許請求の範囲】
【請求項１】
弾性を有する布地製でかつ主として腸骨稜および仙腸関節を覆う上段ベルト片と、同弾性を有する布地製でかつ主として股関節を覆う下段ベルト片とを備え、該上下段ベルト片の両端部は各々重合状態に結合されると共に、同中間部分は複数の弾性を有する布地製連結片により互いに連結され、かつ、上下段ベルト片の両端結合部どうしは係着部材を介して着脱自在に連結すべく構成されてなる骨盤矯正ベルトにおいて、上記骨盤矯正ベルトは伸縮性を有するガ−ドルの腰部内周面に少くとも上段ベルト片を介して止着されてなることを特徴とする、骨盤矯正ベルト。
【請求項２】
ガ−ドルにはその腰部前側を開閉せしめるべくその上端部より下端部に向けて開閉部材が設けられてなることを特徴とする、請求項１記載の骨盤矯正ベルト。
【発明の詳細な説明】
【技術分野】
【０００１】
本発明は、骨盤矯正ベルトに関するものである。
【背景技術】
【０００２】
一般に、現代人の大半は、運動不足による筋肉の弱体化と悪い姿勢の多い生活習慣により骨盤が開いて後ろに傾斜しており、これに起因して腰痛をはじめ様々な慢性的病を併発することが指摘されているものである。
ところで、かかる骨盤を矯正するベルトとしては、本発明者が先に開示した骨盤矯正ベルト、即ち、弾性を有する布地製でかつ主として腸骨稜および仙腸関節を覆う上段ベルト片と、同弾性を有する布地製でかつ主として股関節を覆う下段ベルト片とを備え、該上下段ベルト片の両端部は各々重合状態に結合されると共に、同中間部分は複数の弾性を有する布地製連結片により互いに連結され、かつ、上下段ベルト片の両端結合部どうしは係着部材を介して着脱自在に連結すべく構成された基本構成を有する骨盤矯正ベルトが知られている（特開平１１−５６８８７号公報、特開２００１−８７２９５号公報参照）。
【０００３】
そして、上述のごとく構成された従来例は、上下段ベルト片を各々人体の腸骨稜・仙腸関節・股関節個所に当てがいつつ、上下段ベルト片の両端結合部どうしを係着部材により適度の締付け力でもって連結することにより装着し、骨盤を常に正しい位置に安定せしめて矯正せしめるものである。
【特許文献１】特開平１１−５６８８７号公報
【特許文献２】特開２００１−８７２９５号公報
【発明の開示】
【発明が解決しようとする課題】
【０００４】
しかしながら、上記従来例は、単に２本の上下段ベルト片でもって人体の腸骨稜・仙腸関節・股関節個所をサポ−トせしめるものであるから、以下の問題点を有するものである
。
即ち、人体の腸骨稜・仙腸関節・股関節個所は、全身の体重を受ける個所であると共に
、着用時の立ち居振舞いの動作中で最も複雑な形状を呈する部分であるため、着用中に骨盤矯正ベルトがずり上りやすく、装着せしめても一日の内に何度も骨盤矯正ベルトの位置を正しい位置に補正しなければならないという面倒さや煩しさがあり、体型などによって多少の違いはあるものの、安定的に装着し続けることが出来ないという問題を有するものである。
【０００５】
本発明はかかる従来例の問題点を一挙に解決しようとするもので、着用時における骨盤矯正ベルトのずり上りを確実に防止せしめ、骨盤を常に正しい位置に安定保持せしめて矯正することが出来る、骨盤矯正ベルトを提供するにある。
【課題を解決するための手段】
【０００６】
上記の目的を達成するため、本発明の請求項１記載の発明は、弾性を有する布地製でかつ主として腸骨稜および仙腸関節を覆う上段ベルト片と、同弾性を有する布地製でかつ主として股関節を覆う下段ベルト片とを備え、該上下段ベルト片の両端部は各々重合状態に結合されると共に、同中間部分は複数の弾性を有する布地製連結片により互いに連結され
、かつ、上下段ベルト片の両端結合部どうしは係着部材を介して着脱自在に連結すべく構成されてなる骨盤矯正ベルトにおいて、上記骨盤矯正ベルトは伸縮性を有するガ−ドルの腰部内周面に少くとも上段ベルト片を介して止着されてなることを特徴とする、骨盤矯正ベルトを要旨とするものである。
【０００７】
請求項２記載の発明は、ガ−ドルにはその腰部前側を開閉せしめるべくその上端部より下端部に向けて開閉部材が設けられてなることを特徴とする、請求項１記載の骨盤矯正ベルトを要旨とするものである。
【発明の効果】
【０００８】
請求項１記載の発明は、骨盤矯正ベルトが伸縮性を有するガ−ドルの腰部内周面に少くとも上段ベルト片を介して止着されているから、着用時には骨盤矯正ベルトの上にガ−ドルを重ね状に装着せしめ、骨盤矯正ベルトの緊締力にガ−ドルの緊締力を一体的に付加せしめることが出来るものであって、ひいては、両者の緊締力が相まって骨盤矯正ベルトの移動を確実に阻止することが出来るものである。このため、着用時における立ち居振舞いの動作中においても骨盤矯正ベルトのずり上がりを確実に防止せしめ、骨盤を常に正しい位置に安定保持せしめて矯正せしめることが出来るものである。
【０００９】
請求項２記載の発明は、ガ−ドルにはその腰部前側を開閉せしめるべくその上端部より下端部方向に向けて開閉部材が設けられているから、ガ−ドルの腰部前側を適宜開閉作動せしめ、骨盤矯正ベルトの着用作業やその取外し作業を容易に行うことが出来るものである。               
【発明を実施するための最良の形態】
【００１０】
以下に、本発明を実施するための最良の形態を図面に示す一実施例に基づいて詳細に説明する。
【００１１】
図１乃至図３は本発明の一実施例を示すもので、同図中、１は骨盤矯正ベルト、２は該骨盤矯正ベルト１を構成する上段ベルト片で、該上段ベルト片２は弾性を有する布地により腸骨稜および仙腸関節を覆う広さと長さを備えた略帯状に形成されている。３は上記上段ベルト片２の両端部に各々重合状態に縫着して結合された下段ベルト片で、該下段ベルト片３は弾性を有する布地により股関節を覆う広さと長さを備えた略帯状に形成されている。そして、上記の上下段ベルト片２・３を形成する布地材は、圧力を加えても血行を阻害しにくい編み立て構造とされている。４・５は上下段ベルト片２・３の結合部どうしを相互に連結せしめるべく両端結合部に各々取付けられた雄カギホックと雌カギホック、６は上下段ベルト片２・３のほぼ中間部分を所定間隔でもって連結せしめる所要数の弾性布地製連結片、７・８は装着時の体型にフィットせしめるべく上段ベルト片２の中央部上縁と下段ベルト片３の中央部下端縁に各々形成されたセンタ−ダ−ツ、９は上段ベルト片２の中央部内側に形成されたポケット部、１０は該ポケット部９に収納された仙骨矯正ブロック（仙骨サポ−タ−）で、該仙骨矯正ブロック１０には遠赤外線放射セラミックスなどよりなる生体活性化エネルギ−放出セラミックス１１が設けられている。１２は下段ベルト片３の両端部に各々形成されたベルト装着圧吸収用長孔（パワ−アブソ−バ−）である。
【００１２】
１３は伸縮性を有するロングガ−ドルで、該ロングガ−ドル１３の腰部１４後側内周面には上記骨盤矯正ベルト１がその上段ベルト片２の所要個所と下段ベルト片３の中央部を介して縫着状に止着されている。１５は上記ロングガ−ドル１３の腰部１４前側中央部にその上端部より下端部方向に向けて形成された所要長のスリット、１６・１７は該スリット１５の両側縁を連結せしめるべくその両側縁内面がわに縦列状に取付けられた所要数の雄カギホックと雌カギホック、１８はスリット１５に沿って開閉せしめるべくロングガ−ドル１３の前側中央部に取付けられたファスナ−、１９・２０は該ファスナ−１８を構成する務歯とスライダ−である。
【００１３】
次に、上述の如く構成された骨盤矯正ベルト１の使用状態について説明する。
先ず、ファスナ−１８のスライダ−２０を引下げ、ロングガ−ドル１３の腰部１４前側を拡開して穿上げたのち、ロングガ−ドル１３の後側を人体の腰に沿って整える。しかるのち、骨盤矯正ベルト１を人体の後側より腰に沿わせて当てがいつつ、軽く巻き付ける。このさい、骨盤矯正ベルト１の両端結合部を無伸張状態下に人体の前に合せた状態で、両者間の間に約１０ｃｍ程度の間隔をあけるのが好ましい。次に、骨盤矯正ベルト１を伸張せしめつつ両端の結合部を重ね合せ、雄カギホック４と雌カギホック５とを掛け合せて互いに連結することにより着用する（図２参照）。このさい、下段ベルト片３の約１／３が人体の臀部と足の境目から足の方にかかるように左右に強く引張り、前に回して掛止めるとよい。そして、人体の前では、適度の強さの位置で留め、骨盤矯正ベルト１の両端結合部を恥骨の上にセットする。こうして、上段ベルト片２により腸骨稜および仙腸関節を、また、下段ベルト片３により股関節をカバ−せしめる。なお、骨盤矯正ベルト１の装着により、上段ベルト片２の中央部内側の仙骨矯正ブロック１０に保持された遠赤外線放射セラミックスなどによる生体活性化エネルギ−放出セラミックス１１が丁度仙骨の背面、即ち、仙骨の真上に位置するようにする。
【００１４】
そして、骨盤矯正ベルト１の装着が完了すると、所要の雄カギホック１６を対応する雌カギホック１７に掛け合せてロングガ−ドル１３の腰部１４前側を閉止せしめ、適正な緊締状態に保持せしめる。しかるのち、ファスナ−１８のスライダ−２０を引き上げてロングガ−ドル１３の腰部１４前側を閉作動せしめると共に、ロングガ−ドル１３の後側内に手を入れて下段ベルト片３が人体の臀部を包み上げる位置にその両端を適正に調整せしめ
、装着を完了する（図３参照）。このさい、骨盤矯正ベルト１をロングガ−ドル１３の腰部１４内周面に上段ベルト片２と下段ベルト片３の一部を介して止着せしめているから、着用時には骨盤矯正ベルト１の上にロングガ−ドル１３を重ね状に装着せしめ、骨盤矯正ベルト１の緊締力にロングガ−ドル１３の緊締力を一体的に付加せしめることが出来るものであって、両者の緊締力が相まって骨盤矯正ベルト１の移動を確実に阻止せしめることができ、ひいては、着用時における立ち居振舞いの動作中においても骨盤矯正ベルト１のずり上りを確実に防止せしめ、骨盤矯正ベルト１を常に適正位置に安定保持せしめて矯正せしめることが出来るものである。
【００１５】
なお、上記実施例において、ロングガ−ドル１３の開閉部材としてファスナ−１８が示されているが、これに限定されるものでなく、カギホックなど公知の開閉部材を採択使用することが出来るものである。また、骨盤矯正ベルト１を止着せしめるものとしてロングガ−ドル１３が示されているが、これに限定されるものでなく、ショ−トガ−ドルなどこれらに類したガ−ドルを採択使用することが出来るものである。さらに、骨盤矯正ベルト１はロングガ−ドル１３に上段ベルト片２と下段ベルト片３の一部を介して止着されているが、上段ベルト片２のみを止着せしめてもよいものである。
【図面の簡単な説明】
【００１６】
【図１】本発明の一実施例を示す一部破砕斜視図である
【図２】実施例のロングガ−ドル１３前側を開作動せしめて人体に骨盤矯正ベルト１を装着せしめた状態を示す正面図である。
【図３】実施例のロングガ−ドル１３前側を閉作動せしめて人体に装着せしめた状態を示す一部破砕正面図である。
【符号の説明】
【００１７】
１    骨盤矯正ベルト
２    上段ベルト片
３    下段ベルト片
４    雄カギホック
５    雌カギホック
６    連結片
１３  ロングガ−ドル
１４  腰部
１８  ファスナ−
【図１】
2006198311.tif 000003
【図２】
2006198311.tif 000004
【図３】
2006198311.tif 000005